(57)【特許請求の範囲】
【請求項１】
サイドプレート（１４）に回転可能に支持された巻取パイプ（１６）と、巻取パイプ（１６）に一端側が連結されて巻取パイプ（１６）に巻取り及び巻解き可能なスクリーン（１８）と、スクリーン（１８）の他端側に設けられたウエイトバー（２０）とを有するロールスクリーンにおいて、
巻取パイプ（１６）の両端近傍には、巻取パイプ（１６）とは一体に回転しない矯正部材（２６）が設けられており、該矯正部材（２６）は、スクリーン（１８）の側縁部と干渉可能となった突出面（２６ｂ）と、突出面（２６ｂ）の前後縁部に形成されてスクリーン（１８）方向へと延設された前側壁（２６ｃ）と後側壁（２６ｄ）と、前側壁（２６ｃ）と後側壁（２６ｄ）のそれぞれの下端のスペースとして形成される出入口（２６ｅ）とを有しており、該矯正部材（２６）は、巻取パイプ（１６）の長手方向において、スクリーン（１８）に向かって付勢されてスクリーン（１８）の側縁部を押しており、スクリーン（１８）を巻取パイプ（１６）の長手方向に直交する方向に昇降するように矯正することを特徴とするロールスクリーン。
【請求項２】
前記矯正部材（２６）の下端に形成された前記出入口（２６ｅ）が、スクリーン（１８）の側縁部を通過させる一方、ウエイトバー（２０）の上昇を阻止する受部（２６ｅ）を構成することを特徴とする請求項１記載のロールスクリーン。
【発明の詳細な説明】
【０００１】
【発明の属する技術分野】
本発明は、ロールスクリーンに関し、特にスクリーンの巻乱れを防止することができるロールスクリーンに関する。
【０００２】
【従来の技術】
従来のロールスクリーンは、サイドプレートに回転可能に支持された巻取パイプと、巻取パイプに一端側が連結されて巻取パイプに巻取り及び巻解き可能なスクリーンと、スクリーンの他端側に設けられたウエイトバーとを有しており、スクリーンを巻取る際には、例えば、ウエイトバーやスクリーンを下方に引いてスクリーンを停止させているストッパーを解除し、巻取パイプにスクリーンを何重にも重ね合わせながら巻取っている。
【０００３】
【発明が解決しようとする課題】
しかしながら、このスクリーンを巻取パイプに巻き取る際に、ユーザーがスクリーンを不用意に斜め方向に操作したり、またはスクリーンが横にずれるなどして、スクリーンが巻取パイプの長手方向に垂直な方向からずれて昇降することがあり、この場合、１周前のスクリーンに側縁部が揃った状態で重なり合っていかずに側縁部がずれていく巻乱れが生じることになる。特に、大型タイプのスクリーンでは、スクリーンの高さが長いため、巻乱れが生じると、スクリーンの側縁部がサイドプレートに押されて折れ曲がってスクリーンが損傷したり、またスクリーンとして経木を使用した場合には、経木が横にずれると元に戻らない性質があるため、そのまま巻き取られると、経木の側縁部がサイドプレートに押されて経木が折れる、というおそれがある。かかる問題を回避するために、スクリーンの側縁部とサイドプレートとの間の間隔を予め広く設定することも考えられるが、あまり広く設定すると、スクリーンと窓枠との間隔が広くなり日除け効果が減少してしまう、という課題がある。
【０００４】
また、他の問題としては、スクリーンが完全に巻取パイプに巻取られと、最後にウエイトバーが巻取られたスクリーンに当たるため、押し跡がつき、再度スクリーンを下ろしたときに円周ピッチでこの押し跡が露出され、特に陽に透かすとスクリーンが汚れたように見えて、美観的に好ましくない、ということがある。本発明は、かかる問題に鑑みなされたもので、請求項１記載の発明は、スクリーンの巻乱れを防止することができるロールスクリーンを提供することをその目的とする。
また、請求項２記載の発明は、上記目的に加えて、ウエイトバーによる押し跡がスクリーンに付くことを防止することができるロールスクリーンを提供することをその目的とする。
【０００５】
【課題を解決するための手段】
上記目的を達成するために、請求項１記載の発明では、サイドプレートに回転可能に支持された巻取パイプと、巻取パイプに一端側が連結されて巻取パイプに巻取り及び巻解き可能なスクリーンと、スクリーンの他端側に設けられたウエイトバーとを有するロールスクリーンにおいて、巻取パイプの両端近傍には、巻取パイプとは一体に回転しない矯正部材が設けられており、該矯正部材は、スクリーンの側縁部と干渉可能となった突出面と、突出面の前後縁部に形成されてスクリーン方向へと延設された前側壁と後側壁と、前側壁と後側壁のそれぞれの下端のスペースとして形成される出入口とを有しており、該矯正部材は、巻取パイプの長手方向において、スクリーンに向かって付勢されてスクリーンの側縁部を押しており、スクリーンを巻取パイプの長手方向に直交する方向に昇降するように矯正することを特徴とする。
スクリーンに向かって付勢された矯正部材が、スクリーンの幅方向のずれに対して緩衝されながら、スクリーンを巻取パイプの長手方向に直交する方向に昇降するように矯正する。
また、請求項２記載の発明は、請求項１記載のものにおいて、前記矯正部材の下端に形成された前記出入口が、スクリーンの側縁部を通過させる一方、ウエイトバーの上昇を阻止する受部を構成することを特徴とする。
スクリーンが巻取パイプに巻取られてウイエトバーが上昇していくと、最後にウエイトバーが矯正部材の受部によってその上昇が阻止される。このため、ウエイトバーは、直接巻取パイプに巻き取られたスクリーンに当たることはない。
【０００６】
【発明の実施の形態】
以下、図面を用いて本発明の実施の形態を説明する。
図１は、本発明の実施の形態に係るロールスクリーン１０を示しており、ロールスクリーン１０は、主に、窓枠等に直接的にまたはセットフレーム等によって間接的に固定される一対のサイドプレート１４と、一対のサイドプレート１４に両端を回転可能に支持された巻取パイプ１６と、巻取パイプ１６に一端が連結され且つ巻取パイプ１６に巻取り及び巻解き可能に吊り下げられるスクリーン１８と、スクリーン１８の下端に設けられたウエイトバー２０とを有している。
また、一方のサイドプレート１４には、巻取パイプ１６を回転させるための無端状のボールチェーン２２を有する回転伝達装置２４が設けられている。
さらに、図２に詳細に示したように、巻取パイプ１６の両端近傍には、矯正部材２６が設けられており、矯正部材２６は、サイドプレート１４、回転伝達装置２４のケースまたは巻取パイプ１６の支持軸に対して、巻取パイプ１６の長手方向に移動可能に取り付けられている。矯正部材２６とサイドプレート１４または矯正部材２６と回転伝達装置２４との間には、弾性体であるバネ３０が介挿されていて、該バネ３０が矯正部材２６を巻取パイプ１６の長手方向においてスクリーン１８に向かって付勢している。
【０００７】
矯正部材２６は、巻取パイプ１６よりも下方位置まで伸びる延設部２６ａを有しており、延設部２６ａには、スクリーン１８方向へ突出した突出面２６ｂが形成されている。突出面２６ｂは、巻取パイプ１６の長手方向に直交する平面となっている。また、図３に示したように、突出面２６ｂの前後縁部には、それぞれスクリーン１８方向へ延設された前側壁２６ｃと後側壁２６ｄとが形成されており、前側壁２６ｃと後側壁２６ｄのそれぞれの下端の間のスペースは、スクリーン１８の側縁部が出入り通過可能な出入口２６ｅとなっている。同時に、出入口２６ｅの幅は、ウエイトバー２０の幅よりも小さく設定されており、出入口２６ｅは、ウイエトバー２０の上昇を阻止する受部として機能する。また、出入口２６ｅの下端２６ｆは、図２に示したように、下方へ向かうに従って外側へ広がるテーパ形状となっている。
スクリーン１８は、ある程度剛性のある布か、経木によって構成される。
【０００８】
以上のように構成されるロールスクリーン１０において、スクリーン１８が巻取パイプ１６に巻取られる際に、巻取パイプ１６に対してスクリーン１８が傾いた状態で巻取パイプ１６へ巻き取られていくと、スクリーン１８の一方側の側縁部は矯正部材２６に干渉することになる。即ち、スクリーン１８の一方側の側縁部は、矯正部材２６に対して、その出入口２６ｅの下端２６ｆのテーパ形状に誘導されながら、出入口２６ｅを通過すると共に、その突出面２６ｂと干渉して突出面２６ｂを外側へ押圧する。押圧された矯正部材２６は、バネ３０によって、このスクリーン１８の衝撃を緩衝しながらもその反力によって、スクリーン１８の側縁部を押し返す。結果として、スクリーン１８は、両側にある矯正部材２６の突出面２６ｂによって中央寄りに押され、スクリーン１８は、突出面２６ｂに沿って巻取パイプ１６の長手方向に直交する方向に上昇するように、矯正される。こうして、スクリーン１８は一周前のスクリーン１８に幅方向でずれることなく、その側縁部が揃った状態で重ね合わされていくので、巻乱れを防止することができ、スクリーン１８の側縁部を損傷させたり折ったりすることはない。また、スクリーン１８が下降する際にも、矯正部材２６によって、スクリーン１８は、巻取パイプ１６の長手方向に直交する方向に下降するよう矯正される。
【０００９】
矯正部材２６は、その延設部２６ａのみがサイドプレート１４から延びている他は、延設部２６ａ以外の部分はサイドプレート１４とほぼ重なり合うように設けられるため、目立つことなく、ロールスクリーン１０の美観を損なうことがない。また、延設部２６ａ以外の部分はその厚みを許容強度の範囲で可能な限り薄くできるので、スクリーン１８とサイドプレート１４との間の隙間が広がることはなく、むしろ、巻乱れを考慮してサイドプレート１４とスクリーン１８との間隔を広くとる必要がないので、スクリーン１８と窓枠との間の間隔を狭くすることができ、スクリーン１８が下降しているときには、十分に窓等を遮蔽することができる。
スクリーン１８が矯正されながら、巻取パイプ１６に巻き取られていくと、図４（または図２及び図３の仮想線）に示したように、ウエイトバー２０の両端が、矯正部材２６の出入口２６ｅに当たって上昇が阻止され、スクリーン１８が停止する。このとき、ウエイトバー２０は、直接、矯正部材２６に当たり巻取パイプ１６に巻き取られたスクリーン１８に直接当たることはない。従って、スクリーン１８が布の場合に、ウエイトバー２０の押し跡がつくことはなく、また、スクリーン１８が布でなくとも、同じ位置に常にウエイトバー２０からの衝撃が作用することを防止できるため、スクリーン１８の耐久性を高めることができる。また、ウエイトバー２０は、両端の矯正部材２６の出入口２６ｅによって、巻取パイプ１６とほぼ平行な状態で止まるため、次に、スクリーン１８を下降させる際に、巻取パイプ１６との正しい位置関係状態からスクリーン１８を巻解き始めることができる。こうして、巻取パイプ１６の長手方向に直交する方向へのスクリーン１８の下降をさらに確実なものとすることができる。
【００１０】
【発明の効果】
以上説明したように、請求項１記載の発明によれば、矯正部材によって、スクリーンを巻取パイプの長手方向に直交する方向に昇降するように矯正するため、スクリーンの端縁部が揃い、巻乱れを防止することができる。従って、巻乱れを考慮してサイドプレートとスクリーンとの間隔を広くとる必要もないので、スクリーンと窓枠との間の間隔を狭くすることができ、スクリーンが下降しているときには、十分に窓等を遮蔽することができる。
また、請求項２記載の発明によれば、ウエイトバーは、直接、矯正部材の受部に当たり、巻取パイプに巻き取られたスクリーンに直接当たることはないため、スクリーンが布の場合にスクリーンにウエイトバーの押し跡がつくことはない。また、スクリーンが布でない場合であっても、常にスクリーンの同じ位置にウエイトバーからの衝撃が作用することを防止できるため、スクリーンの耐久性を高めることができる。
【図面の簡単な説明】
【図１】本発明の実施の形態に係るロールスクリーンを示す正面図である。
【図２】図１のロールスクリーンの要部拡大断面図である。
【図３】図２の矢印３方向から見た矢視図（巻取パイプは模式的に表す）である。
【図４】図１のロールスクリーンのスクリーンが完全に巻取られた状態を示す正面図である。
【符号の説明】
１４  サイドプレート
１６  巻取パイプ
１８  スクリーン
２０  ウエイトバー
２６  矯正部材
２６ｅ  出入口（受部）
【図１】
0003929586.tif 000002
【図２】
0003929586.tif 000003
【図３】
0003929586.tif 000004
【図４】
0003929586.tif 000005